【手続補正書】
【提出日】平成15年12月10日(2003.12.10)
【手続補正１】
【補正対象書類名】明細書
【補正対象項目名】発明の名称
【補正方法】変更
【補正の内容】
【発明の名称】電子機器装置
【手続補正２】
【補正対象書類名】明細書
【補正対象項目名】特許請求の範囲
【補正方法】変更
【補正の内容】
【特許請求の範囲】
【請求項１】
電子機器を内部に装着するとともに所定の面にケーブルコネクタ部が通るための開口部を有する装着枠と、
前記ケーブルコネクタ部が貫通可能な可撓性貫通部を有し、前記開口部に配置されたケーブル保護部材と
を備えたことを特徴とする電子機器装置。
【請求項２】
装着枠の所定の面に配置されてケーブルコネクタ部の一部が固定されるケーブルサポートを備えたことを特徴とする請求項１記載の電子機器装置。
【請求項３】
ケーブル保護部材の貫通部は、ほぼ矩形状の開口を有し、かつ前記開口の一方がケーブルコネクタ部のコネクタより狭い幅になるように突出片を設けられていることを特徴とする請求項１又は２記載の電子機器装置。
【請求項４】
ケーブル保護部材の貫通部に設けられた突出片が所定方向に屈曲していることを特徴とする請求項３記載の電子機器装置。
【請求項５】
ケーブル保護部材の貫通部は切込み状に形成されていることを特徴とする請求項１又は２記載の電子機器装置。
【請求項６】
ケーブル保護部材の貫通部は切込みの一端にケーブルコネクタ部のケーブル部分を配置させるケーブル用開口部を有することを特徴とする請求項５記載の電子機器装置。
【手続補正３】
【補正対象書類名】明細書
【補正対象項目名】０００１
【補正方法】変更
【補正の内容】
【０００１】
【発明の属する技術分野】
この発明は、通信装置などの電子装置に設けられた、電子機器ユニットを装着するための電子機器装置に関するものである。


【手続補正４】
【補正対象書類名】明細書
【補正対象項目名】００１０
【補正方法】変更
【補正の内容】
【００１０】
この発明は上記のような課題を解決するためになされたもので、電子機器ユニットが装着されていないユニット装着装置の装着枠の裏面側に配置されたケーブルコネクタの保護作業を効率的に行うことができる電子機器装置を得ることを目的とする。


【手続補正５】
【補正対象書類名】明細書
【補正対象項目名】００１１
【補正方法】変更
【補正の内容】
【００１１】
また、この発明は、電子装置の運用状態（通電状態）においても、ケーブルコネクタを保護したままである電子機器装置を得ることを目的とする。


【手続補正６】
【補正対象書類名】明細書
【補正対象項目名】００１２
【補正方法】変更
【補正の内容】
【００１２】
【課題を解決するための手段】
この発明に係る電子機器装置は、電子機器を内部に装着するとともに所定の面にケーブルコネクタ部が通るための開口部を有する装着枠と、ケーブルコネクタ部が貫通可能な可撓性貫通部を有し、開口部に配置されたケーブル保護部材とを備えたものである。


【手続補正７】
【補正対象書類名】明細書
【補正対象項目名】００１３
【補正方法】変更
【補正の内容】
【００１３】
この発明に係る電子機器装置は、装着枠の所定の面に配置されてケーブルコネクタ部の一部が固定されるケーブルサポートを備えたものである。


【手続補正８】
【補正対象書類名】明細書
【補正対象項目名】００１４
【補正方法】変更
【補正の内容】
【００１４】
この発明に係る電子機器装置は、ケーブル保護部材の貫通部が、ほぼ矩形状の開口を有し、かつ開口の一方がケーブルコネクタ部のコネクタより狭い幅になるように突出片を設けられているものである。


【手続補正９】
【補正対象書類名】明細書
【補正対象項目名】００１５
【補正方法】変更
【補正の内容】
【００１５】
この発明に係る電子機器装置は、ケーブル保護部材の貫通部に設けられた突出片が所定方向に屈曲しているものである。


【手続補正１０】
【補正対象書類名】明細書
【補正対象項目名】００１６
【補正方法】変更
【補正の内容】
【００１６】
この発明に係る電子機器装置は、ケーブル保護部材の貫通部が切込み状に形成されているものである。


【手続補正１１】
【補正対象書類名】明細書
【補正対象項目名】００１７
【補正方法】変更
【補正の内容】
【００１７】
この発明に係る電子機器装置は、ケーブル保護部材の貫通部が切込みの一端にケーブルコネクタ部のケーブル部分を配置させるケーブル用開口部を有するものである。


【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００８４
【補正方法】変更
【補正の内容】
【００８４】
【発明の効果】
以上のように、この発明によれば、電子機器を内部に装着するとともに所定の面にケーブルコネクタ部が通るための開口部を有する装着枠と、ケーブルコネクタ部が貫通可能な可撓性貫通部を有し、開口部に配置されたケーブル保護部材とを備えるように電子機器装置を構成したので、ケーブルコネクタの保護作業を効率的に行うことができる電子機器装置が得られる効果がある。


【手続補正２０】
【補正対象書類名】明細書
【補正対象項目名】００８５
【補正方法】変更
【補正の内容】
【００８５】
この発明によれば、ケーブル保護部材の貫通部が、ほぼ矩形状の開口を有し、かつ開口の一方がケーブルコネクタ部のコネクタより狭い幅になるように突出片を設けらているように電子機器装置を構成したので、コネクタが外れにくい電子機器装置が得られる効果がある。


【手続補正２１】
【補正対象書類名】明細書
【補正対象項目名】００８６
【補正方法】変更
【補正の内容】
【００８６】
この発明によれば、ケーブル保護部材の貫通部に設けられた突出片が所定方向に屈曲しているように電子機器装置を構成したので、コネクタをケーブル保護部材に取り付けやすく、コネクタがケーブル保護部材からはずれ難い電子機器装置が得られる効果がある。


【手続補正２２】
【補正対象書類名】明細書
【補正対象項目名】００８７
【補正方法】変更
【補正の内容】
【００８７】
この発明によれば、ケーブル保護部材の貫通部が切込み状に形成されているように電子機器装置を構成したので、貫通部の加工が容易であり、コネクタが外れ難い電子機器装置が得られる効果がある。


【手続補正２３】
【補正対象書類名】明細書
【補正対象項目名】００８８
【補正方法】変更
【補正の内容】
【００８８】
この発明によれば、ケーブル保護部材の貫通部が切込みの一端にケーブルコネクタ部のケーブル部分を配置させるケーブル用開口部を有するように電子機器装置を構成したので、ケーブル部分が傷つきにくい電子機器装置が得られる効果がある。


【手続補正２４】
【補正対象書類名】明細書
【補正対象項目名】００８９
【補正方法】削除
【補正の内容】
【手続補正２５】
【補正対象書類名】明細書
【補正対象項目名】００９０
【補正方法】削除
【補正の内容】
【手続補正２６】
【補正対象書類名】明細書
【補正対象項目名】００９１
【補正方法】削除
【補正の内容】
【手続補正２７】
【補正対象書類名】明細書
【補正対象項目名】００９２
【補正方法】削除
【補正の内容】
【手続補正２８】
【補正対象書類名】明細書
【補正対象項目名】００９３
【補正方法】削除
【補正の内容】
【手続補正２９】
【補正対象書類名】明細書
【補正対象項目名】００９４
【補正方法】削除
【補正の内容】
【手続補正３０】
【補正対象書類名】明細書
【補正対象項目名】００９５
【補正方法】削除
【補正の内容】